(57)【要約】【課題】搬送されるシートを検出する反射型の光検出器への紙粉等の付着を抑制して、紙粉等の影響によるジャムの誤検知のないシート搬送装置を提供する。【解決手段】シートに接触してシートを搬送する搬送部材１３，１４と、搬送部材１３，１４にて搬送されるシートの有無を検出する反射型光センサ１２とを備え、搬送部材１３，１４は帯電可能な材料にて構成してあり、反射型光センサ１２は、搬送部材１３，１４に近接配置してある。搬送部材１３，１４は、駆動ローラ１４及び該駆動ローラ１４に当接した従動ローラ１３からなり、反射型光センサ１２は、シート搬送方向で従動ローラ１３の下流側に配置してある。従動ローラ１３の表面に付着した紙粉を除去する紙粉除去部材１５を設けてある。【選択図】図２
2010037008.tif 000002
【特許請求の範囲】
【請求項１】
シートに接触して該シートを搬送する搬送部材と、該搬送部材にて搬送されるシートの有無を検出する反射型光センサとを備えたシート搬送装置において、
前記搬送部材は帯電可能な材料にて構成してあり、
前記反射型光センサは、前記搬送部材に近接配置してあることを特徴とするシート搬送装置。
【請求項２】
前記反射型光センサは、前記搬送部材にて搬送されるシートの搬送方向で前記搬送部材の下流側に配置してあることを特徴とする請求項１に記載のシート搬送装置。
【請求項３】
前記搬送部材は、駆動ローラ及び該駆動ローラに当接した従動ローラにて構成され、
前記反射型光センサは、前記従動ローラのシート搬送方向の下流側に配置してあることを特徴とする請求項２に記載のシート搬送装置。
【請求項４】
前記駆動ローラ及び従動ローラは、ゴムローラであることを特徴とする請求項３に記載のシート搬送装置。
【請求項５】
前記駆動ローラはゴムローラであり、前記従動ローラは樹脂製ローラであることを特徴とする請求項３に記載のシート搬送装置。
【請求項６】
前記従動ローラの表面に付着した紙粉を除去する紙粉除去部材を設けてあることを特徴とする請求項３から５の何れか１項に記載のシート搬送装置。
【請求項７】
前記紙粉除去部材は、前記従動ローラの表面に当接するスポンジ材であることを特徴とする請求項６に記載のシート搬送装置。
【請求項８】
請求項１から７の何れか１項に記載のシート搬送装置を備え、該シート搬送装置にて記録シートの搬送を行う構成としてあることを特徴とする画像形成装置。
【発明の詳細な説明】
【技術分野】
【０００１】
本発明は、画像形成装置等に備えられ、画像を記録するシートなどの搬送を行うシート搬送装置に関する。
【背景技術】
【０００２】
従来、複写機、プリンタ等の画像形成装置において、記録シートの位置を検出するための検出器として、機械的な感知レバーが設けられ、該レバーの動きをフォトインタラプタにより検知するものである。しかし、最近の画像形成装置では、高速化のニーズの高まりに伴って、記録シートの搬送速度の高速化が求められる一方で、機械的な検出器では感知レバーの応答速度のばらつきが大きく、シーケンス上で多くのマージンが必要とされ、記録シートの搬送速度を高速化するための障害となっていた。
【０００３】
そこで、高速に搬送される記録シートの検出のために光学式の検出器が用いられている。光学式の検出器のうち、反射型の光検出器は、シートの搬送路に光を照射する発光素子と、搬送路を通過するシートからの反射光を受光する受光素子とを有し、シートの有無に応じた受光量の変化によって、搬送されるシートの有無が検出される（特許文献１参照）。尚、特許文献１に記載の反射型の光検出器では、搬送路を挟んで検出器の反対側に、シートの搬送方向に対して傾斜した反射板が設けてある。搬送路にシートがあるときは、発光素子からの光はシートの面で正反射して受光素子には向かうが、シートがないときは、発光素子からの光は反射板で反射して受光素子には向かわない。
【０００４】
また、高速の画像形成装置では、大量の印刷が実行されるため、シート搬送中に発生する紙粉が、シートの有無を検出する光検出器の発光素子又は受光素子に付着し、その結果、受光素子の受光量が減少してシートの検出精度が低下し、ジャムの誤検知の原因となる場合がある。そこで、印刷枚数のカウント値に応じて発光素子の発光量を調整する制御によって、紙粉等の影響によるジャムの誤検知を抑制するようにした技術が公知である（特許文献２参照）。
【特許文献１】特開昭５８−８９５４２号公報
【特許文献２】特開２００３−２６７５８９号公報
【発明の開示】
【発明が解決しようとする課題】
【０００５】
特許文献２に記載の画像形成装置は、光検出器への紙粉等の付着による受光量の減少に対して発光量を調整制御してシートの検出精度を確保しようとするものであり、光検出器への紙粉等の付着自体を抑制するものではなかった。
【０００６】
本発明は、上記実情に鑑み、搬送されるシートの有無を検出する反射型の光検出器への紙粉等の付着を抑制して、紙粉等の影響によるジャムの誤検知のない反射型の光検出器を備えたシート搬送装置を提供することを目的とする。
【０００７】
また本発明は、搬送される記録シートの有無を検出する反射型の光検出器への紙粉等の付着を抑制して、紙粉等の影響によるジャムの誤検知のない画像形成装置を提供することを目的とする。
【課題を解決するための手段】
【０００８】
本発明に係るシート搬送装置は、シートに接触して該シートを搬送する搬送部材と、該搬送部材にて搬送されるシートの有無を検出する反射型光センサとを備えたシート搬送装置において、前記搬送部材は帯電可能な材料にて構成してあり、前記反射型光センサは、前記搬送部材に近接配置してあることを特徴とする。
本発明によれば、シートが搬送部材に接触して搬送される時に発生した紙粉がシートとの接触によって帯電した搬送部材に吸着されるので、搬送部材に近接した範囲では紙粉の量が減少し、搬送部材に近接配置された反射型光センサに紙粉が付着することが抑制される。
【０００９】
本発明に係るシート搬送装置は、前述の発明において、前記反射型光センサは、前記搬送部材にて搬送されるシートの搬送方向で前記搬送部材の下流側に配置してあることを特徴とする。
本発明によれば、搬送部材の上流側部分は搬送されるシートの先端部に当たりながらシートを搬送するので、紙粉の発生量が多くなるが、搬送部材の下流側部分は主に搬送されるシートの面に接するので、紙粉の発生量は比較的少ない。その結果、帯電した搬送部材に吸着された後、搬送部材に近接した範囲に存在する紙粉の量も搬送部材の下流側の方が上流側より少なくなり、反射型光センサをシート搬送方向で搬送部材の下流側に近接配置することにより、反射型光センサへの紙粉の付着が更に抑制される。
【００１０】
本発明に係るシート搬送装置は、前述の発明において、前記搬送部材は、駆動ローラ及び該駆動ローラに当接した従動ローラにて構成され、前記反射型光センサは、前記従動ローラのシート搬送方向での下流側に配置してあることを特徴とする。
本発明によれば、駆動ローラ及び該駆動ローラに当接した従動ローラにてシートを挟んで搬送する場合に、従動ローラがシートの面に接触するときの摩擦力より駆動ローラがシートの面に接触するときの摩擦力の方が大きく、紙粉の発生量が多くなる。その結果、反射型光センサを従動ローラのシート搬送方向での下流側に配置することにより、反射型光センサへの紙粉の付着が更に抑制される。
【００１１】
本発明に係るシート搬送装置は、前述の発明において、前記駆動ローラ及び従動ローラは、ゴムローラであることを特徴とする。
本発明によれば、駆動ローラと従動ローラとが共に弾力性を有するゴムローラであるので、シートに密着して搬送性に優れることに加えて、密着したシートとの摩擦によって各ゴムローラが良好に帯電して紙粉を吸着することができる。
【００１２】
本発明に係るシート搬送装置は、前述の発明において、前記駆動ローラはゴムローラであり、前記従動ローラは樹脂製ローラであることを特徴とする。
本発明によれば、駆動ローラが弾力性を有するゴムローラであるので、シートに密着して搬送性に優れることに加えて、密着したシートとの摩擦によって良好に帯電し、一方、従動ローラは樹脂製ローラであるので、シートとの摩擦によって良好に帯電し、ゴム製駆動ローラと樹脂製従動ローラとによって、紙粉を更に効果的に吸着することができる。
【００１３】
本発明に係るシート搬送装置は、前述の発明において、前記従動ローラの表面に付着した紙粉を除去する紙粉除去部材を設けてあることを特徴とする。
本発明によれば、従動ローラの表面に付着した紙粉が除去され、従動ローラによる紙粉の付着力が回復するので、紙粉を効果的に吸着することができる。
【００１４】
本発明に係るシート搬送装置は、前述の発明において、前記紙粉除去部材は、前記従動ローラの表面に当接するスポンジ材であることを特徴とする。
本発明によれば、スポンジ材は内部に多数の孔を有し、該孔に従動ローラの表面から除去した紙粉を保持するので、紙粉の除去性能を良好に維持させることができる。
【００１５】
本発明に係る画像形成装置は、前述の本発明に係るシート搬送装置を備え、該シート搬送装置にて記録シートの搬送を行う構成としてあることを特徴とする。
本発明によれば、画像形成装置において搬送される記録シートは、シート面に画像を形成する処理がなされるので、シート面から紙粉が発生し易い状態になっているが、本発明に係るシート搬送装置を備えることにより、反射型光センサへの紙粉の付着を抑制することができる。
【発明の効果】
【００１６】
本発明に係るシート搬送装置によれば、搬送されるシートの有無を検出する反射型の光検出器を帯電可能な材料にて構成された搬送部材に近接配置することにより、シートから発生した紙粉等を搬送部材に吸着させて反射型の光検出器への紙粉等の付着を抑制し、紙粉等の影響によるジャムの誤検知のない反射型の光検出器を備えたシート搬送装置が提供される。
【００１７】
本発明に係る画像形成装置によれば、画像形成処理がなされて紙粉が発生し易い状態になっている記録シートの有無を検出する反射型の光検出器への紙粉等の付着を抑制して、紙粉等の影響によるジャムの誤検知のない画像形成装置が提供される。
【発明を実施するための最良の形態】
【００１８】
以下、本発明に係るシート搬送装置の実施の形態について図面に基づいて説明する。
図１は、本発明に係るシート搬送装置を備えた画像形成装置１の全体構成を示す正面断面図である。画像形成装置１は、コピーモード、プリンタモード、スキャナモード、ファクシミリモード、および、ファイリングモードを有する複合機である。
【００１９】
画像形成装置１には、プリンタ２を核に、スキャナ３、自動原稿搬送装置４、記録シート後処理装置５、多段給紙ユニット６、中継搬送ユニット８および両面搬送ユニット１０が、システムラック７に支持されて設けられている。
【００２０】
スキャナ３は、その上部に配置された自動原稿搬送装置４と共に、プリンタ２および記録シート後処理装置５の上方に配置されている。スキャナ３は、透明な原稿載置台３０上にセットされた原稿の画像を、相互に所定の速度関係で原稿載置台３０に沿って移動する第１走査ユニット３１および第２走査ユニット３２で露光走査し、原稿画像の反射光をミラーや結像レンズ３３等の光学部品によって導いて光電変換素子３４上に結像させ、原稿画像を電気信号に変換した上で出力する。
【００２１】
自動原稿搬送装置４は、原稿セットトレイ４０上に載置された原稿を原稿載置台３０上に搬送してセットし、露光走査後の原稿を原稿排出トレイ４２上に排出する原稿搬送手段４１を備えている。また、自動原稿搬送装置４は、自動供給が不可能なシート物の原稿を原稿載置台３０上に載置可能なように、装置奥側を支点にして上方に回動して、装置手前側が開放するように構成されている。そして、スキャナ３は、シート状の原稿を自動原稿搬送装置４により自動的に供給して１枚ずつ順次露光走査して原稿画像を読み取る自動読み取りモードと、ブック物の原稿、もしくは自動原稿搬送装置４により自動供給が不可能なシート物の原稿をマニュアル操作によりセットして原稿画像を読み取る手動読み取りモードを備えている。
【００２２】
プリンタ２は、スキャナ３にて読込まれた画像の記録出力の他に、パーソナルコンピュータ等の外部端末からの画像データも記録し、出力する。以下、プリンタ２の具体的な構成を説明する。プリンタ２の略中央左側には、ドラム状の感光体２００を中心とする公知の電子写真プロセス部２０が配置されている。プリンタ２の略中央には、感光体２００を露光走査する光走査ユニット２２が配置してある。感光体２００の周囲には、後述の転写ユニット２０３の他に、説明は省略するが、感光体２００の表面を帯電させる帯電部、静電潜像を現像してトナー像を作成する現像部、転写後の感光体２００の表面をクリーニングするクリーニング部を設けてある。
【００２３】
プリンタ２の下側には、プリンタ２に内装された記録シート供給部２１が配置されている。記録シート供給部２１は、記録シートを収容する記録シート収容トレイ２１０と、記録シート収容トレイ２１０に収容された記録シートを１枚ずつ分離して供給する分離供給部２１１とで構成されている。記録シート供給部２１から１枚ずつ分離して供給された記録シートは、電子写真プロセス部２０の感光体２００と転写ユニット２０３との間に順次供給され、感光体２００上に記録された画像が転写される。なお、記録シート供給部２１への記録シートの補給は、プリンタ２の正面側に記録シート収容トレイ２１０を引き出して行なう。
【００２４】
電子写真プロセス部２０の上方には定着装置２３が配置されており、画像が転写された記録シートを順次受け入れて、記録シート上に転写された現像剤（トナー）を加熱定着して定着装置２３外へと記録シートを送り出す。画像が記録された記録シートは、プリンタ２の排出ローラ２８からプリンタ２の上部の中継搬送ユニット８に受け渡される。
【００２５】
光走査ユニット２２の上下の空間部には、電子写真プロセスをコントロールするプロセスコントロールユニット（ＰＣＵ）基板および装置外部からの画像データを受け入れるインターフェイス基板を収容するプリンタ制御部２４、インターフェイス基板から受け入れられた画像データに対して所定の画像処理を施し、光走査ユニット２２により画像として走査記録させるためのイメージコントロールユニット（ＩＣＵ）基板を備えた画像制御部２５、これら各種基板、並びに各ユニットに対して電力を供給する電源ユニット２６等が配置されている。
【００２６】
プリンタ２の下部には、周辺機器として準備されている多段給紙ユニット６等から送られてくる記録シートを受け入れ、電子写真プロセス部２０の感光体２００と転写ユニット２０３との間に向かって順次供給するための記録シート受口２７が設けられている。
【００２７】
多段給紙ユニット６は、外付けの記録シート供給装置であって、３つの記録シート供給部６１，６２，６３を有している。多段給紙ユニット６の上面には、プリンタ２の記録シート受口２７に連通している記録シート排出口６５が設けてある。各記録シート供給部６１，６２，６３の記録シート収容トレイ６１０，６２０，６３０に収容した記録シートを、各分離給送手段６１１，６２１，６３１によって、それぞれ１枚ずつ分離し、記録シート排出口６５に向かって供給する複数の搬送ローラ６６が設けてある。
【００２８】
多段給紙ユニット６は、稼働時、所望とするサイズの記録シートを収容した記録シート供給部６１，６２，６３が選択的に動作する。尚、記録シート供給部６２と記録シート供給部６３とには、同一サイズの記録シートが収納される。記録シート供給部６１，６２，６３への記録シートの補給は、多段給紙ユニット本体の正面側にシート収容トレイ６１０，６２０，６３０を引出して行われる。
【００２９】
多段給紙ユニット６は、上方に位置したプリンタ２と後処理装置５との下方側空間に移動してシステムラック７に固定可能なように、下部に複数の移動コロ６９と固定部６８とを備えている。移動時には、固定部６８を回転して上昇させることで固定部６８を床面から離間させ、固定時には、固定部６８を逆向きに回転して下降させることで固定部６８を床面に接触させて、多段給紙ユニット６を固定する。
【００３０】
なお、本実施形態では、多段給紙ユニット６が３つの記録シート供給部６１，６２，６３を備えた構成を採用しているが、本発明は、これに限定されることなく、前記記録シート供給部２１を含めて、同一サイズの記録シートが収納される記録シート供給部が複数設けられる構成であればよい。
【００３１】
中継搬送ユニット８は、プリンタ２から排出される画像記録済みの記録シートを、プリンタ２の上部に設けた排紙トレイ９に排出するか、又は、プリンタ２の右横側部に設置された記録シート後処理装置５に排出するかを切り替えて搬送するユニットである。具体的には、記録シートを記録シート後処理装置５に導く記録シート搬送経路８４が、途中個所で記録シートを排出トレイ９に導く記録シート搬送路８３に分岐している。該分岐部には、２つの排出先を切換えるためのゲート８１が配置されている。尚、排出トレイ９は中継搬送ユニット８の上面８２と記録シート後処理装置５の上面５４とで形成してある。
【００３２】
排出トレイ９は、記録シートの反転搬送路として使用されるようにもなっており、プリンタ２の左横側部に外付けされた両面搬送ユニット１０と合わせて、記録シートの両面への画像形成を実現する。このため、前記排出ローラ２８は正逆両方向に回転可能となっている。記録シート供給部２１及び各記録シート供給部２１，６１，６２，６３から電子写真プロセス部２０および定着装置２３への記録シート搬送路２０４には、定着装置２３の下流側に位置してゲート２９が設けられている。
【００３３】
定着装置２３での定着の終了した記録シートは、前記ゲート２９が、図１の実線側に切換わっていると、前記記録シート後処理装置５または前記排出トレイ９へ排出される。一方、排出トレイ９が反転搬送路として使用される場合には、排出トレイ９に排出された記録シートが引き戻され、破線側に切換わっているゲート２９を介して、両面搬送ユニット１０の搬送路１１に搬送される。次に、搬送路１１に搬送された記録シートが記録シート搬送路２０４を通過し、再び電子写真プロセス部２０によって反対側の面に画像が形成される。このようにして、記録シートの両面への画像形成が可能となる。
【００３４】
記録シート後処理装置５は、プリンタ２にて画像形成が完了した記録シートに対してステープル処理を行うためのものである。記録シート後処理装置５は上部に中継搬送ユニット８から排出される画像記録済みの記録シートを導入するための搬入ローラ対５０を有し、搬入ローラ対５０の排紙方向下流側には、利用者にて指定されたモードに応じて、記録シートの搬送路を、ステープル処理を実施しない搬送路５３と、ステープル処理部５８に繋がる搬送路５５との間で選択的に切り換える切換えゲート５２が配設されている。
【００３５】
切換えゲート５２の案内によって、搬送路５３に搬入された記録シートは、排紙ローラ対５４の作用で、そのまま何の処理も施されることなく、上段の排紙トレイ５６上に排出される。一方、切換えゲート５２の案内によって搬送路５５に搬入された記録シートは、該搬送路５５上に配置された搬送ローラ対５７によって、ステープル処理部５８に導かれる。ステープル処理後の記録シートは、下段の排紙トレイ５９に排出される。
【００３６】
前記転写ユニット２０３と定着装置２３との間の搬送路２０４には、記録シートの搬送を検出する搬送検出センサ１２が設けてある。図２は本発明に係るシート搬送装置の要部を模式的に示す断面図、図３は図２のＩＩＩ−ＩＩＩ線位置における側面図である。図４は比較例のシート搬送装置の構成を模式的に示す図である。
【００３７】
搬送検出センサ１２は、搬送路２０４を通過する記録シートの面に直交する方向に光軸Ａが向いた発光素子１２ａおよび受光素子１２ｂを有する反射型光センサである。搬送検出センサ１２は、発光素子１２ａが搬送路２０４を通過する記録シートに赤外光を照射し、受光素子１２ｂが反射光を受光することにより記録シート有りを検知し、反射光を受光しない場合に記録シートが無いことを検知する。
【００３８】
転写ユニット２０３から排出された記録シートを搬送する一対の搬送ローラ１３，１４が設けられ、該搬送ローラ１３，１４は駆動ローラ１４及び駆動ローラ１４に当接した従動ローラ１３にて構成される。各搬送ローラ１３，１４は記録シートの幅方向の両側２箇所を挟持する２つのローラ部１３ａ，１４ａと，ローラ部１３ａ，１４ａを保持し両端で装置本体に枢支された金属製の軸部１３ｂ，１４ｂとを有する。尚、各搬送ローラ１３，１４は記録シートの幅方向の両側３箇所を挟持する３つのローラ部１３ａ，１４ａ、あるいは記録シートの幅方向の中央部分を挟持する幅広の１個のローラ部１３ａ，１４ａを有する形態でもよい。
【００３９】
駆動ローラ１４のローラ部１４ａ及び従動ローラ１３のローラ部１３ａの材料は、搬送性とともに、良好な帯電特性を有するように選定する。１つの形態では、駆動ローラ１４のローラ部１４ａはＥＰＤＭ（エチレンプロピレンジエンゴム）、ＣＲゴム（クロロプレンゴム）等の弾性ゴム材料にて作製されたゴムローラであり、従動ローラ１３のローラ部１３ａはＰＯＭ（ｐｏｌｙｏｘｙｍｅｔｈｙｌｅｎｅ：ポリアセタール）等の樹脂材料にて作製された樹脂製ローラである。他の形態では、駆動ローラ１４のローラ部１４ａ及び従動ローラ１３のローラ部１３ａは、共に上記ＥＰＤＭ、ＣＲゴム等の弾性ゴム材料にて作製されたゴムローラである。
【００４０】
搬送検出センサ１２は、シート搬送方向で搬送ローラ１３，１４の下流側端部に近接配置してある。具体的には、搬送検出センサ１２は、搬送される記録シートの面に直交する方向（図３）及び記録シートの面に平行でシート搬送方向に直交する方向（図２）から見て、シート搬送方向で従動ローラ１３の２つのローラ部１３ａの何れか一方のローラ部１３ａの下流側に配置してある。また当該ローラ部１３ａの搬送検出センサ１２に面した側とは反対側（シート搬送方向の上流側）の外周部に角柱状のスポンジ材１５が圧接されている。尚、従動ローラ１３が３つのローラ部１３ａを有する場合はその何れか１つのローラ部１３ａの下流側に配置し、幅広の１個のローラ部１３ａを有する場合はその１個のローラ部１３ａの下流側に配置する。
【００４１】
図３には、発光素子１２ａと受光素子１２ｂとがシートの搬送方向で同位置となるように、シート搬送方向に直交する方向に並ぶ配置の搬送検出センサ１２を示すが、発光素子１２ａおよび受光素子１２ｂの配置は、特にこれに限定されるものではない。例えば、シートの搬送方向で受光素子１２ａが搬送方向の上流側に位置し、受光素子１２ｂが搬送方向の下流側に位置する配置、又は、受光素子１２ａが搬送方向の下流側に位置し、受光素子１２ｂが搬送方向の上流側に位置する配置でも良い。
【００４２】
以上のように搬送検出センサ１２を配置したことによって、駆動ローラ１４のローラ部１４ａ及び従動ローラ１３のローラ部１３ａが記録シートとの摩擦により静電気を帯び、この静電気力で周囲の紙粉を吸着する。また従動ローラ１３が回転し、ローラ部１３ａの表面に吸着された紙粉がスポンジ材１５で掻きとられる。その結果、従動ローラ１３のローラ部１３ａは再び帯電して紙粉を吸着することができる。このようにして、従動ローラ１３のローラ部１３ａの近傍、特にシート搬送方向の下流側では紙粉の発生量を抑え、搬送検出センサ１２の発光素子１２ａと受光素子１２ｂとに紙粉が付着することを抑制することができる。これに対して、図４に示すように、搬送検出センサ１２を駆動ローラ１４のローラ部１４ａ及び従動ローラ１３のローラ部１３ａの位置とは無関係に配置した場合には、記録シートの搬送により生じた紙粉が駆動ローラ１４のローラ部１４ａ及び従動ローラ１３のローラ部１３ａによって良好に吸着されずに浮遊して、搬送検出センサ１２の発光素子１２ａと受光素子１２ｂとに付着する。その結果、受光素子１２ｂの受光量が低下し、誤検出の原因となる。
【００４３】
上記実施の形態では、駆動ローラ１４及び従動ローラ１３によって搬送部材を構成したが、これに限るものではなく、搬送部材を搬送ベルトで構成してもよい。
【００４４】
また、シート搬送装置を備えた画像処理装置として、複合機の他に、単機能のコピー機、ファクシミリ機であってもよく、さらに、シート原稿を搬送する原稿自動搬送機能を有するスキャナであってもよい。また、記録シート搬送装置単体であってもよい。
【００４５】
本発明に係るシート搬送装置は、上記実施の形態に限定されるものではなく、本発明の範囲内で上記実施形態に多くの修正および変更を加え得ることは勿論である。
【図面の簡単な説明】
【００４６】
【図１】本発明に係るシート搬送装置を備えた画像形成装置の全体構成を示す正面断面図である。
【図２】本発明に係るシート搬送装置の要部を模式的に示す断面図である。
【図３】図２のＩＩＩ−ＩＩＩ線位置における側面図である。
【図４】比較例のシート搬送装置の構成を模式的に示す図である。
【符号の説明】
【００４７】
１        画像形成装置
１２      搬送検出センサ（反射型光センサ）
１３      従動ローラ（搬送部材）
１４      駆動ローラ（搬送部材）
１５      スポンジ材（紙粉除去部材）
【図１】
2010037008.tif 000003
【図２】
2010037008.tif 000004
【図３】
2010037008.tif 000005
【図４】
2010037008.tif 000006